(57)【要約】【課題】  本考案の解決しようとする課題は、熟練を要せずして電気泳動用のゲルに形成した極く小さなウェル内に試料を迅速且つ正確に分注することができるようにすることである。【解決手段】  本考案は厚板状のゲルの平面に設ける多数の縦孔形ウェルに電気泳動用の試料を分注するに際して、該ゲル上に一定の間隔を置いてピペットガイドを並列横架し、該各ピペットガイドの前記各ウェル上の位置に分注用のピペットのチップを嵌込み支持するガイド孔を設けたことを特徴とする電気泳動用のゲルのウェルに試料を分注する際のピペットガイド装置にある。【選択図】図７
0003103734.tif 000002
【実用新案登録請求の範囲】
【請求項１】
厚板状のゲルの平面に設ける多数の縦孔形ウェルに電気泳動用の試料を分注するに際して、該ゲル上に一定の間隔を置いてピペットガイドを並列横架し、該各ピペットガイドの前記各ウェル上の位置に分注用のピペットのチップを嵌込み支持するガイド孔を設けたことを特徴とする電気泳動用のゲルのウェルに試料を分注する際のピペットガイド装置。
【請求項２】
ピペットの各チップは、ピペットガイドの各ガイド孔に中間部にて当て止まり、先端口がウェルの上面上に僅かに離れた位置にて正対する請求項１記載のピペットガイド装置。
【請求項３】
ゲルは収容するトレーの相対側壁の小穴に内側から嵌入する突部を有して抜け外れと変形を防止する請求項１または２に記載のピペットガイド装置装置。
【考案の詳細な説明】
【技術分野】
【０００１】
この考案は電気泳動用のゲルの多数のウェルに試料を分注する際のピペットガイド装置に関するものである。
【背景技術】
【０００２】
手作業により電気泳動用のゲルの多数のウェルに試料を分注するに際して、従来は、１つまたは図１０に示すように８連等に形成された分注用のピペットを用いてゲルの各ウェルに分注してきたものである（例えば登録実用新案第２５２８６５８号公報参照）。
【特許文献１】登録実用新案第２５２８６５８号公報
【考案の開示】
【考案が解決しようとする課題】
【０００３】
しかしながら、ゲルの各ウェルは分析用ウェルプレート等のウェルに較べて平面径が極く小さいためにピペットのチップを正対させることは難しく、かかるためにしばしば試料がウェル外にこぼれ出て各ウェル内に所定量づつ分注することが容易ではなく、また近づきすぎてチップの先端でウェルを損傷してしまうことがあるという課題があった。
【課題を解決するための手段】
【０００４】
本考案は厚板状のゲルの平面に設ける多数の縦孔形ウェルに電気泳動用の試料を分注するに際して、該ゲル上に一定の間隔を置いてピペットガイドを並列横架し、該各ピペットガイドの前記各ウェル上の位置に分注用のピペットのチップを嵌込み支持するガイド孔を設け、該ガイド孔に嵌入したピペットの各チップの中間部を各ガイド孔に当て止め、先端口がウェルの上面上に僅かに離れた位置にて正対するようにして、かかる課題を解決するようにしたのである。
【考案の効果】
【０００５】
本考案によれば、ピペットのチップをピペットガイドの各ガイド孔に挿し込むだけで、自動的にチップの先端口がウェルの上面上の最適な位置と高さにセットされることとなるので、何人も熟練を要せずして的確且つ迅速に試料をウェル内に分注することができるという効果を生ずる。ゲルやウェルを損傷するおそれがないので分注失敗による作業のやり直しなどの無駄な手間を一切解消することができるという効果を生ずる。
【０００６】
ゲルは収容するトレーの相対側壁の小穴に内側から嵌入する突部を有して抜け外れと変形を防止するようにしたので、コームによるウェル形成位置とピペットガイドによるガイド位置にずれ動きの生ずるおそれがないという効果を生ずる。
【考案を実施するための最良の形態】
【０００７】
本考案は試料を分注するに際して、ゲルの平面上に一定の間隔を置いてピペットガイドを並列横架して、このピペットガイドに設ける各ガイド孔にピペットの各チップを挿し立てることで各チップの先端口を各ウェル上の至近に正対させるようにして、何人もこぼすことなくして的確且つ迅速に試料をウェル内に正しく分注することができるようにしたのである。
【実施例１】
【０００８】
図１乃至図４に示すように、相対側壁１ａ，１ｂの上端よりそれぞれ外折する平板２ａ，２ｂ付のトレー３をゲル作製用ケース４内にセットし、ゲル溶液ｇを注入し充填して経時により一定の割合で固化した厚板形のゲル５を作製する。
【０００９】
この際、ゲル５の平面に多数のウェル６を形成するための細長いコーム７の複数本をトレー３の平板２ａ，２ｂ間に並列渡し嵌めておいて固化した後引抜いてゲル４の上面に多数のウェル６を形成する。８ａ，８ｂは相対側壁１ａ，１ｂ上に間隔を置いて設けたコーム７の端部の嵌込用の溝部、７ａはウェル６を形成するための櫛歯状をした軸棒である。図面では２４穴形成用のコーム７を４本嵌付けてゲル５に９６穴のウェル６を形成する例を示しているが、３２穴形成用のコーム７を６本使用して１９２穴のウェル６を形成するなど、任意の数のウェル６を形成することができる。
【００１０】
所定のウェル６を形成したゲル５は、図５に示すようにトレー３ごと電気泳動槽９に移動して、平板２ａ，２ｂを泳動槽９の相対側壁９ａ，９ｂ上に載せ置いて泳動槽９内に浮置する。なお、トレー３の相対側壁１ａ，１ｂの下方４点に小穴１ｃを設け、この各小穴１ｃに内側から嵌入する突部５ａをゲル５に形成するようにしたので、移動の際の振動や傾きによってゲル５がトレー３内で位置ずれしたり変形したりすることを防止するようにしている。
【００１１】
ゲル５をトレー３ごと電気泳動槽９内にセットし、電気泳動のためのバッファー液Ｂを充填する。試料ｓの分注前にバッファー液Ｂを充填するのは、試料ｓを先に分注したときにバッファー液Ｂの流れによって試料ｓが分散するのを防止するためである。ピペットガイド１０はコーム７と同じ長さで、下面両端にトレー３の溝部８ａ，８ｂに嵌入する突起１０ａ，１０ｂを設け、コーム６の櫛歯状の軸部６ａに相対した位置にガイド孔１０ｃを設けている。従ってコーム７を抜き外した溝部８ａ，８ｂにピペットガイド１０の突起１０ａ，１０ｂを合わせて並列渡し嵌めすると、各ウェル６上に一定の間隔を置いてガイド孔１０ｃが正対することとなる。
【００１２】
そこで図６乃至図７に示すように、試料ｓを分注するためにピペット１１の各チップ１１ａをガイド孔１０ｃに上方から嵌め立てると、チップ１１ａは中間部にて各ガイド孔７ａの孔壁に当り支えられてチップ１１ａの先端口は各ウェル６の上面上に僅かの間隔を置いて正確に相対することとなる。市販されているチップ１１ａはおよそ同一形状の先細円錐形状にて成形されているので、ガイド孔１０ｃの口径を適宜に定めることによって、チップ１１ａの先端口の到達する深さを一定に規制することができる。なお異形のチップを使用する必要があるときはチップ形状に合わせてガイド孔の径を定めることによってあらゆる種類のチップにも対応することができる。かくて電気泳動用の試料ｓは的確且つ迅速に小さな多数のウェルに正確に分注できることとなる。なおピペット１１のチップ１１ａは構造上一定の並列ピッチを必要とし、従来８連ピペットの使用を想定したときは、作業性も考慮してチップ１１ａのピッチに合わせてウェル６を形成してきたものであるが、本考案のピペットガイド１０を使用すれば手作業でも狭い間隔のウェル６に対して正確に先端口を相対させることができるので、チップ１１ａの２分の１ピッチでウェル６を形成し、１孔ずらしの分注作業にてすべてのウェル６内に試料ｓを正確に分注することができることとなる。よって、材料も少なく扱いやすい小さなゲル５に多数のウェル６を形成し得、試料数を増やして効率よく利用することができることとなる。この後は常法に従って電気泳動槽９に電場をかけて試料ｓの電気泳動を行うのである。
【実施例２】
【００１３】
図８はピペットガイドのガイド孔の他の実施例を示すもので、図８（ａ）は垂直に形成したガイド孔１０ｃの並列方向の両側下にチップ１１ａの傾斜に合わせて間隔を狭くしたガイド板１０ｄ，１０ｅを設けたものであり、図８（ｂ）はガイド板１０ｄ，１０ｅをチップ１１ａの形状に合わせてテーパー形（９３度）に形成した例を示すものである。ガイド板１０ｄ，１０ｅをこのように設けることによって、チップ１１ａはガイド孔１０ｃの上端とガイド板１０ｄ，１０ｅに接する上下２点で支えられることとなって、チップ１１ａのぐらつきを防止して開口端のウェル６への正対をより確実なものとすることができる。チップ１１ａとガイド孔１０ｃおよびガイド板１０ｄ，１０ｅ間の接触面はごく小さいため、分注完了後の抜き取りの際にチップ１１ａの摩擦でピペットガイド１０を持ち上げてしまったりすることなく円滑に分注作業を反復することができるものとなる。なおガイド孔は図示した平面視円形のほか三角形，四角形ほかの多角形などにて形成して、嵌入のしやすさや支えの安定および抜き取り時の摩擦軽減等を図ることもできる。
【実施例３】
【００１４】
図９はピペットガイド１３を一枚の平板形状にて形成した例を示すもので、トレー３の平板２ａ，２ｂに合致する段高面１３ａ，１３ｂを両側に設けた平板部１３ｃの中間にゲル５のすべてのウェル６に一致する数列のガイド孔１０ｂを設けたのである。１３ｄ，１３ｅは段高面１３ａ，１３ｂの下面中間に設けた嵌合突起、２ｃ，２ｄはトレー３の平板２ａ，２ｂの中間に設けた受孔であり、嵌合突起１３ｄ，１３ｅを受孔２ｃ，２ｄに合わせ嵌めすることによりウェル６とガイド孔１０ｃの位置合わせが自動的になされることとなる。かくすることによりワンタッチでピペットガイド１３をセット完了することができる。なお図示してないが、同様にしてコームも一体形状にて形成することができる。
【産業上の利用可能性】
【００１５】
本考案のピペットガイド装置によれば、特に８連等のピペットによる複数の試料の同時分注において何人でも分注失敗のおそれなしに電気泳動用ゲルの極く小さなウェル内に試料を迅速且つ正確に分注することができることにより、作業能率を格段に向上することができることとなる。
【図面の簡単な説明】
【００１６】
【図１】ゲル作製用のトレーとゲル作製用ケースおよびウェル形成用のコームを各別に示す斜視図
【図２】同、三者をセットして、ゲル溶液を充填した状態を示す断面図
【図３】トレー上にウェル付きのゲルが作製された状態を示す断面図
【図４】同、平面図
【図５】ゲルをトレーごと電気泳動槽内にセットし、バッファー液を充填し、ピペットガイドの１つを取付け前の状態にて示す斜視図
【図６】ピペットガイドを取付けた状態にて示す断面図
【図７】（ａ）はピペットの各チップをガイド孔に挿し立て支持してゲルのウェル内に試料を分注している状態を示す部分拡大断面図、（ｂ）は同、側面図
【図８】（ａ）（ｂ）はガイド孔の他の形成例を示す部分拡大側断面図
【図９】ピペットガイドの他の実施例を示す斜視図
【図１０】従来例図
【符号の説明】
【００１７】
１ａ，１ｂは相対側壁
２ａ，２ｂは平板
２ｃ，２ｄは受孔
３はトレー
４はゲル作製用ケース
５はゲル
６はウェル
７はコーム
７ａは櫛歯状をしたウェル形成用の軸棒
８ａ，８ｂは溝部
９は電気泳動槽
９ａ，９ｂは相対側壁
１０はピペットガイド
１０ａ，１０ｂは嵌込用の突起
１０ｃはガイド孔
１０ｄ，１０ｅはガイド板
１１はピペット
１１ａはピペットのチップ
１３はガイド孔の全列を一枚形状にて形成したピペットガイドの実施例
１３ａ，１３ｂは段高平板
１３ｃは平板部
１３ｄ，１３ｅは嵌合突起
【図１】
0003103734.tif 000003
【図２】
0003103734.tif 000004
【図３】
0003103734.tif 000005
【図４】
0003103734.tif 000006
【図５】
0003103734.tif 000007
【図６】
0003103734.tif 000008
【図７】
0003103734.tif 000009
【図８】
0003103734.tif 000010
【図９】
0003103734.tif 000011
【図１０】
0003103734.tif 000012